(57)【要約】【課題】  簡単に取付けができ、かつＩＣタグのデータを正確に読み書きできるＩＣタグ取付具を提供すること。【解決手段】  ＩＣタグ取付具１０は、地面に立設する柱の側面に設けられた穴に装着可能な棒状部１１と、棒状部１１の端部に設けられ、棒状部１１を穴に装着したときに柱の外側に位置してなるＩＣタグ１３とを備えたことを特徴とする。また、柱の外方に突出し柱の側面に滑らかに沿うように形成された頭部１２を有し、この頭部１２にＩＣタグ１３を埋設したことを特徴とする。【選択図】    図２
2006185001.tif 000002
【特許請求の範囲】
【請求項１】
地面に立設する柱の側面に設けられた穴に装着可能な棒状部と、
前記棒状部の端部に設けられ、前記棒状部を前記穴に装着したときに前記柱の外側に位置してなるＩＣタグと
を備えたことを特徴とするＩＣタグ取付具。
【請求項２】
前記柱の外方に突出し前記柱の側面に滑らかに沿うように形成された頭部を有し、
この頭部に前記ＩＣタグを埋設したことを特徴とする請求項１記載のＩＣタグ取付具。
【請求項３】
地面に立設する柱の側面に設けられた穴に装着可能な棒状部と、
この棒状部の端部に取付けた板状部を有する柱取付具を備えてなり、
前記柱と前記板状部との間に位置するＩＣタグを設けたことを特徴とするＩＣタグ取付具。
【発明の詳細な説明】
【技術分野】
【０００１】
本発明は、柱にＩＣタグを取付けるためのＩＣタグ取付具に関する。
【背景技術】
【０００２】
従来、物品に取付けて、物品に関する各種情報をその場で読み書きし最新の情報に更新できるＩＣタグが種々提案されている（例えば、特許文献１参照）。このようなＩＣタグは様々な用途に利用可能であり、例えば電柱等の通信設備に用いて、電柱等に関する情報の管理システムに利用する提案がなされている。このＩＣタグによって、現場で情報を簡単に得ることができると同時に新たな情報を簡単に入力することができる。
ところで、上記ＩＣタグを電柱に取付ける場合には、荒天や地震等の天災、あるいはいたずら等の人為的行為による脱落を防止するためにこれを強固に固定しなければならない。
【特許文献１】特開２００４−１０２９４７号公報
【発明の開示】
【発明が解決しようとする課題】
【０００３】
しかしながら、ＩＣタグを取付けるために電柱にベルト等により固定すると作業が面倒であるという問題がある。また、ＩＣタグが取付けられた状態でＩＣタグのデータを読み書きする際、電柱に内在する例えば鉄芯等の部材がＩＣタグのデータの読み書き時に発信される電波に影響を与えデータの読み書きにエラーを引き起こし、その結果、ＩＣタグのデータを正確に読み書きできなくなるおそれがある。
【０００４】
本発明は、このような事情を考慮してなされたもので、簡単に取付けができ、かつＩＣタグのデータを正確に読み書きできるＩＣタグ取付具を提供することを目的とする。
【課題を解決するための手段】
【０００５】
本発明は、上記課題を解決するため、以下の手段を採用する。すなわち請求項１に係る発明のＩＣタグ取付具は、地面に立設する柱の側面に設けられた穴に装着可能な棒状部と、前記棒状部の端部に設けられ、前記棒状部を前記穴に装着したときに前記柱の外側に位置してなるＩＣタグとを備えたことを特徴とする。
このような構成とすることで、棒状部を穴に挿入するだけで取付けができ、かつＩＣタグから発信される電波が柱および柱に内在する部材から悪影響を与えられることなくＩＣタグのデータを読み書きすることが可能となる。
【０００６】
また、請求項２に係る発明のＩＣタグ取付具は、前記柱の外方に突出し前記柱の側面に滑らかに沿うように形成された頭部を有し、この頭部に前記ＩＣタグを埋設したことを特徴とする。
このような構成とすることで、ＩＣタグに障害物から衝撃等の外力が加わったとしても、その障害物は滑らかな表面に沿って移動でき、ＩＣタグに大きな荷重が作用するのを防止できる。
【０００７】
また、請求項３に係る発明のＩＣタグ取付具は、地面に立設する柱の側面に設けられた穴に装着可能な棒状部と、この棒状部の端部に取付けた板状部を有する柱取付具を備えてなり、前記柱と前記板状部との間に位置するＩＣタグを設けたことを特徴とする。
このような構成とすることで、ＩＣタグを柱の外側に取付け可能でＩＣタグを保護することが可能な柱取付具が簡易な形状に製造可能となる。
【発明の効果】
【０００８】
請求項１に係る発明のＩＣタグ取付具によれば、ＩＣタグから発信される電波が柱および柱に内在する部材から悪影響を与えられることなくＩＣタグのデータを読み書きすることが可能となるので、ＩＣタグのデータを正確に読み書きすることができる。
【０００９】
請求項２に係る発明のＩＣタグ取付具によれば、ＩＣタグに障害物から衝撃等の外力が加わったとしても、その障害物は柱の表面に滑らかに沿うように形成された頭部に沿って移動でき、ＩＣタグに大きな荷重が作用するのを防止できるので、ＩＣタグの破損および欠落を防止することができる。
【００１０】
請求項３に係る発明のＩＣタグ取付具によれば、ＩＣタグを柱の外側に取付け可能でＩＣタグを保護することが可能な柱取付具が簡易な形状に製造可能となるので、ＩＣタグ取付具の製造コストを削減することができる。
【発明を実施するための最良の形態】
【００１１】
以下、本発明の実施の形態について、図面を参照して説明する。まず、図１〜３に基づいて本発明の第１の実施形態を説明する。
図１は、本発明を適用したＩＣタグ取付具を取付ける電柱の概略構成図である。
地面Ｅに立設する電柱１には、その側面に、電柱１の延長方向と交差する方向に延び内壁をネジ切りされた足場取付用の穴２が、電柱１の延長方向に所定の間隔をおいて設けられている。これら穴２の内部には、ＩＣタグ取付具１０が締め付け可能に取付けられる。
【００１２】
ＩＣタグ取付具１０は、図２，３に示すように、穴２に螺合するようにネジ切りされた円筒状の金属製の棒状部１１と、棒状部１１の端部に取付けられ電柱１の外表面に滑らかに沿うように形成された、キノコの傘状の頭部１２とを有している。この頭部１２は、棒状部１１の延長外方に突出するように形成されている。この頭部１２は、棒状部１１を穴２に挿入して取付けたときに電柱１の外側に位置する。
【００１３】
また、この頭部１２内には、管理データ類を読み書き可能なＩＣタグ１３、およびＩＣタグ１３を装着しＩＣタグ１３の管理データ類を送受信可能とするリング状のアンテナ１４が埋設されている。具体的には、図３に示すように、ＩＣタグ取付具１０は、端部にフランジ部１１ａが形成された棒状部１１と、このフランジ部１１ａに係止するリング状の頭部１２とを有していて、頭部１２内には透明なベース１５に設けられたＩＣタグ１３およびアンテナ１４が埋設されている。
【００１４】
ここで、ＩＣタグ１３には、読み書き可能な管理データ類として、例えば電柱番号、電柱種別、地権者情報、建設年度、不良設備情報、点検者、および点検年月日が入力されている。このように通信設備の点検記録等が記録されることで、電柱１のメンテナンス管理に活用することができる。
なお、その他のデータ類として、複数設置された電柱１を用いた行政等との提携による住所情報、安全情報が入力されてもよい。このように当該場所に関する情報が記録されることで、例えば身体障害者への情報提供に利用することができ、また、道路案内、危険情報を提供する等の福祉活動にも利用することができる。また、データ類として観光情報を入力して、観光案内情報の提供に利用してもよい。なお、これら管理データ類には、第３者によって読み書きできないように暗号化される等、確実な情報セキュリティがなされている。
【００１５】
上記の構成からなるＩＣタグ取付具１０を用いて、電柱１の点検時等において電柱１の情報を得るとともに、その情報を更新する際には、以下のような手順を用いて行う。すなわち、点検する電柱１に取付けられたＩＣタグ取付具１０に携帯可能な端末を有するＩＣタグ読取装置（図示せず）を接近させ、ＩＣタグ１３の管理データ類をＩＣタグ１３から非接触で読み取り、端末に入力して情報を確認する。その後、電柱１の点検等によって管理データ類の既存の情報を更新した場合、その更新された情報についての管理データ類を端末から出力して、ＩＣタグ取付具１０にＩＣタグ読取装置を接近させてＩＣタグ１３に非接触で書き込む。また、ＩＣタグ読取装置から遠隔の位置に据え置きされているホストコンピュータ（図示せず）に、端末を用いてその管理データ類を送受信する。なお、このホストコンピュータには通信設備の各電柱についての情報が管理されており、電柱番号を入力検索することにより過去に実施されたメンテナンス情報や工事履歴・電柱の種別・地権者等の情報を得ることができる。したがって、電柱１が設置された現場で各電柱についての情報を得ることができるとともに、電柱１の情報を更新することができる。
【００１６】
ここで、ＩＣタグ１３およびアンテナ１４が頭部１２とともに電柱１の外側に位置しているため、ＩＣタグ１３からアンテナ１４を介して発信される電波が、電柱１および電柱１に内在する鉄芯等の部材によって磁界が作用して発信できなくなる等の悪影響を与えられることなく、ＩＣタグ１３の管理データ類を読み書きすることが可能となる。したがって、ＩＣタグ１３の管理データ類を正確に読み書きすることができる。
【００１７】
また、ＩＣタグ１３に、障害物から衝撃等の外力が加わったとしても、電柱１の外表面に滑らかに沿って設けた頭部１２によりその障害物はスムーズに移動でき、ＩＣタグ１３に大きな荷重が作用するのを防止できる。したがって、ＩＣタグ１３を外力から保護することができ、ＩＣタグ１３の破損および欠落を防止できる。
【００１８】
次に、本発明の第２の実施形態を図４に基づいて説明する。この実施の形態のＩＣタグ取付具２０は、電柱１の前記穴２に螺合する棒状部２１およびその棒状部２１の端部に一体成形された円板状の板状部２２を有する柱取付具２３と、管理データ類を読み書き可能なＩＣタグ２４とで構成されている。ＩＣタグ２４は、透明なベース２６にリング状のアンテナ２５とともに設けられている。このアンテナ２５は、その中心に棒状部２１が貫通され、ＩＣタグ取付具２０を電柱１の穴２に装着したときにこれら電柱１の側面と板状部２２とで挟持されるように取付けられている。すなわち、これらＩＣタグ２４およびアンテナ２５は、電柱１の側面と板状部２２との間に位置してなる。なお、柱取付具２３は、上述の棒状部２１および板状部２２を有する既存の電柱表示用具を用いてもよい。
【００１９】
上記の構成からなるＩＣタグ取付具２０においては、第１の実施形態と同様に、ＩＣタグ２４から発信される電波が電柱１および電柱１に内在する鉄芯等の部材から悪影響を与えられることなくＩＣタグ２４の管理データ類を読み書きすることが可能となるので、ＩＣタグ２４の管理データ類を正確に読み書きすることができる。
また、このＩＣタグ取付具２０においては、棒状部２１を穴２に挿入するだけで、簡単に取付けができるとともに、ＩＣタグ２４を電柱１の外側に取付け可能でＩＣタグ２４を保護することが可能な柱取付具２３が、簡易な形状で製造可能となる。したがって、ＩＣタグ取付具２０の製造コストを削減することができる。
【００２０】
なお、上記第１および第２の実施の形態において、側面に足場取付用の穴を有する電柱を実施例として説明したが、柱についてはこれに限るものではなく、地面に立設し、側面に穴が設けられた柱であればよい。
また、上記第１および第２の実施の形態において、ＩＣタグ取付具を取付ける方法として、ネジ込み形式のみならず、押込み形式を用いてもよい。例えば、上記第１の実施の形態において、ＩＣタグ取付具１０を取付ける方法として、ネジ切りされた棒状部１１をネジ切りされた穴２に差し込んでＩＣタグ取付具１０を電柱１に装着するネジ込み形式のみならず、棒状部１１を穴２に押込んでＩＣタグ取付具１０を電柱１に装着する押込み形式を用いてもよい。この場合、ＩＣタグ取付具１０の棒状部１１はネジ切りされなくてもよく、穴２の内壁もネジ切りされなくてもよい。また、押込み形式を用いてＩＣタグ取付具１０を電柱１に装着した場合、ドライバでねじるようにしてＩＣタグ取付具１０を電柱１から取り外す。
また、上記第１および第２の実施の形態において、電柱１の穴２にＩＣタグ取付具を１本のみ装着することに限定することはなく、電柱１の側面に穴２が複数設けられている場合には、それら複数の穴２のそれぞれにＩＣタグ取付具を装着してもよい。
また、上記第１の実施の形態において、ＩＣタグ１３およびアンテナ１４は、頭部１２に覆われて設けられていれば、頭部１２内に設けられていなくてもよい。
【図面の簡単な説明】
【００２１】
【図１】本発明の第１の実施の形態に係るＩＣタグシステムの概略構成図である。
【図２】本発明の第１の実施の形態に係るＩＣタグ取付具の斜視図である。
【図３】本発明の第１の実施の形態に係るＩＣタグ取付具の分解側面図である。
【図４】本発明の第２の実施の形態に係るＩＣタグ取付具の斜視図である。
【符号の説明】
【００２２】
Ｅ  地面
１  電柱（柱）
２  穴
１０  ＩＣタグ取付具
１１  棒状部
１２  頭部
１３  ＩＣタグ
２０  ＩＣタグ取付具
２１  棒状部
２２  板状部
２３  柱取付部
２４  ＩＣタグ
【図１】
2006185001.tif 000003
【図２】
2006185001.tif 000004
【図３】
2006185001.tif 000005
【図４】
2006185001.tif 000006